(57)【要約】【課題】通行人の安全性をさらに高めることができる照明器具等を提供する。【解決手段】照明器具１００は、灯体１０と、灯体１０内に設けられる第１光源１１及び第２光源１２と、を備える。第１光源１１は、街路３００に照明光１１１を照射し、第２光源１２は、街路３００に存在する側溝３１０の位置を示す表示光１１２を照射する。【選択図】図１
2020161423.tif 000002
【特許請求の範囲】
【請求項１】
灯体と、
前記灯体内に設けられる第１光源及び第２光源と、
を備え、
前記第１光源は、人が通行する場所に照明光を照射し、
前記第２光源は、前記場所に存在する構造物の位置を示す表示光を照射する、
照明器具。
【請求項２】
前記第２光源は、前記場所の水位レベルが所定以上になった場合に、前記表示光を照射する、
請求項１に記載の照明器具。
【請求項３】
前記表示光は、前記水位レベルに応じて配光が制御される、
請求項２に記載の照明器具。
【請求項４】
前記表示光は、前記照明光とは光色が異なる、
請求項１から３のいずれか１項に記載の照明器具。
【請求項５】
前記表示光は、前記照明光よりも指向性が高い光である、
請求項１から４のいずれか１項に記載の照明器具。
【請求項６】
前記第２光源は、レーザ光源である、
請求項１から５のいずれか１項に記載の照明器具。
【請求項７】
前記構造物は、側溝である、
請求項１から６のいずれか１項に記載の照明器具。
【請求項８】
前記第２光源は、前記場所が属する地域に、浸水又は雨に関する気象警報が発令された場合に、前記表示光を照射する、
請求項１から７のいずれか１項に記載の照明器具。
【請求項９】
前記第２光源は、前記構造物の前記人が通行する側から、前記場所を上面視した場合の前記第２光源と前記構造物との間に向けて、前記表示光を照射する、
請求項１から８のいずれか１項に記載の照明器具。
【請求項１０】
請求項２又は３に記載の照明器具と、
前記水位レベルを検知するセンサと、を備える、
照明システム。
【請求項１１】
前記センサは、水面からの反射光によって前記水位レベルを検知する、
請求項１０に記載の照明システム。
【請求項１２】
請求項１から９のいずれか１項に記載の照明器具を複数備え、
複数の前記照明器具それぞれの前記第２光源は、同一の前記構造物の位置を示す前記表示光を照射する、
照明システム。
【発明の詳細な説明】
【技術分野】
【０００１】
本発明は、照明器具及び照明システムに関する。
【背景技術】
【０００２】
街路灯等の人が通行する場所に設置される照明器具は、設置された場所周辺に光を照射し、夜間においても通行人の視認性を確保するため等に用いられる。特許文献１では、通常の街路灯の機能に加え、通信手段及びセンサ等を備えた街路灯が開示されている。
【先行技術文献】
【特許文献】
【０００３】
【特許文献１】特開２０１７−０５９４１４号公報
【発明の概要】
【発明が解決しようとする課題】
【０００４】
このような、人が通行する場所を照射できるように設置される照明器具は、通行人の視認性を確保することで、通行人の安全性を高めている。しかし、視認性を高めるだけでは、通行人が危険にさらされる可能性があり、視認性を高める以外での安全性を高める手段が求められている。
【０００５】
そこで、本発明は、通行人の安全性をさらに高めることができる照明器具等を提供することを目的とする。
【課題を解決するための手段】
【０００６】
本発明の一態様に係る照明器具は、灯体と、前記灯体内に設けられる第１光源及び第２光源と、を備え、前記第１光源は、人が通行する場所に照明光を照射し、前記第２光源は、前記場所に存在する構造物の位置を示す表示光を照射する。
【０００７】
本発明の一態様に係る照明システムは、上記照明器具と、前記水位レベルを検知するセンサと、を備える。
【０００８】
本発明の一態様に係る照明システムは、上記照明器具を複数備え、複数の前記照明器具それぞれの前記第２光源は、同一の前記構造物の位置を示す前記表示光を照射する。
【発明の効果】
【０００９】
本発明に係る照明器具等によれば、通行人の安全性をさらに高めることができる。
【図面の簡単な説明】
【００１０】
【図１】図１は、実施の形態に係る照明システムを説明するための概略図である。
【図２】図２は、実施の形態に係る照明システムの上面視図である。
【図３】図３は、実施の形態に係る照明システムの機能構成を示すブロック図である。
【図４】図４は、動作例１における第２光源の動作のフローチャートである。
【図５】図５は、動作例２における第２光源の動作のフローチャートである。
【図６】図６は、動作例３における第２光源の動作のフローチャートである。
【発明を実施するための形態】
【００１１】
以下では、本発明の実施の形態について、図面を用いて詳細に説明する。なお、以下に説明する実施の形態は、いずれも本発明の好ましい一具体例を示すものである。従って、以下の実施の形態で示される数値、形状、構成要素、構成要素の配置及び接続形態、並びに、ステップ（工程）及びステップの順序等は、一例であり、本発明を限定する趣旨ではない。よって、以下の実施の形態における構成要素のうち、本発明の独立請求項に記載されていない構成要素については、任意の構成要素として説明される。
【００１２】
また、各図は、模式図であり、必ずしも厳密に図示されたものではない。また、各図において、同じ構成要素については同じ符号を付している。
【００１３】
（実施の形態）
［照明システムの概要］
まず、本実施の形態に係る照明システムの全体構成に関して説明する。図１は、本実施の形態に係る照明システムを説明するための概略図である。図２は、実施の形態に係る照明システムの上面視図である。
【００１４】
図１及び図２に示されるように、照明システム１０００は、照明器具１００とセンサ２００とを備える。照明器具１００は、人が通行する場所を照射できるように設置される照明器具である。照明器具１００は、例えば、街路灯であり、街路３００に設置される。具体的には、照明器具１００は、側溝３１０等の構造物が存在する街路３００に設置される。本明細書において、街路３００は、人が通行する場所の一例であり、側溝３１０は街路３００に存在する構造物の一例である。また、人が通行する場所に存在する構造物は、人が通行する場所の内部に存在する構造物だけでなく、人が通行する場所に接して存在している構造物も含まれる。
【００１５】
なお、照明器具１００は、人が通行する場所に設置されればよく、例えば、公園、駐車場、林道、集合住宅の敷地内又は、工場の敷地内等の屋外空間等に設置されてもよい。
【００１６】
照明器具１００は、灯体１０と、灯体１０内に設けられる第１光源１１及び第２光源１２とを備える。
【００１７】
灯体１０は、第１光源１１及び第２光源１２を内部に備える。灯体１０は、街路３００に立設する柱状部材１１０により、支持部材１２０を介して、街路３００の上方で支持される。また、図１においては、灯体１０は、街路３００上に立設する柱状部材１１０に支持されているが、照明器具１００が街路３００を照射することができれば、設置の方法に制限は無く、例えば、周囲の建物等に取り付けられていてもよい。
【００１８】
第１光源１１は、街路３００に照明光１１１を照射する。第１光源１１は、従来の街路灯と同様に、通行人４００の視認性を高めるために、照明器具１００周辺の街路３００を広範囲にわたって照らすための光源である。
【００１９】
第２光源１２は、側溝３１０の位置を示す表示光１１２を照射する。これにより、通行人４００は、側溝３１０の位置を認識しやすくなり、側溝３１０に転落する可能性が下がる。よって、通行人４００の安全性を高めることができる。図１では、豪雨等により、街路３００が雨水３２０で冠水している状態が示されている。街路３００が冠水し、街路３００における水位レベルｈが所定以上になると、通行人４００から側溝３１０が見えなくなるため、通行人４００が側溝３１０に気づかずに転落する可能性が高まる。表示光１１２が照射されていることで、通行人４００が側溝３１０の位置を認識しやすくなることから、通行人の安全性をさらに高めることができる。
【００２０】
なお、構造物として側溝３１０が例示されているが、これに限られず、構造物は、街路３００に存在する凹部又は凸部等、通行人４００に転倒又は転落等の危険を引き起こす構造物である。特に、側溝３１０のように凹部を有する街路３００に構造物が存在する場合、街路３００が冠水すると通行人４００から認識されにくくなるため、本実施の形態の照明システム１０００は有効である。
【００２１】
図１及び図２においては、照明器具１００は、１つの第２光源１２を備えているが、第２光源１２を複数備え、１つの照明器具１００が複数の構造物の位置を示す表示光１１２を照射してもよい。
【００２２】
表示光１１２は、例えば、図２に示されるように、街路３００上に側溝３１０に沿った形で線状に照射される。表示光１１２は、矢印形状又は縞状に照射されてもよく、街路３００上に文字が表示されるように照射されてもよい。また、表示光１１２は、単一の光色の光であってもよく、複数の光色の光を組み合わせられた光であってもよい。なお、図１及び図２において、表示光１１２は、側溝３１０よりも通行人４００が通行する側の街路３００に照射されているが、通行人４００が表示光１１２を認識できる範囲に照射されていればよい。表示光１１２は、例えば、側溝３１０の周囲に照射されてもよく、側溝３１０上に照射されてもよい。
【００２３】
図１及び図２に示されるように、照明器具１００は、第２光源１２が側溝３１０の通行人４００が通行する側から、上面視で第２光源１２と側溝との間に表示光１１２を照射してもよい。この場合、冠水により街路３００の水面３３０の位置が上昇すると、表示光１１２が水面３３０上に照射される位置が、側溝３１０よりも通行人４００が通行する側に移動する。そのため、水面３３０の位置が上昇しても、側溝３１０と表示光１１２が照射される位置との間隔が広がるため、より通行人４００が側溝３１０に近づきにくくなる。
【００２４】
また、図２に示されるように、照明システム１０００は、複数の照明器具１００を備える。複数の照明器具１００それぞれの第２光源１２は、図２に示されるように、同一の側溝３１０の位置を示す表示光１１２を照射し、それぞれの表示光１１２の一部が重なっている。２つの第２光源１２が同一の側溝３１０の位置を示す表示光１１２を照射することにより、一方の照明器具１００の第２光源１２が故障した場合であっても、他方の照明器具１００の第２光源１２より表示光１１２が照射される。なお、照明器具１００の数は、側溝３１０等の構造物に応じて設定すればよく、図２に示されるような２つとは限らない。また、照明器具１００それぞれの第２光源１２は、異なる構造物の位置を示す表示光１１２を照射してもよい。また、照明器具１００それぞれの第２光源１２は、重なる位置に表示光１１２を照射してもよい。
【００２５】
センサ２００は、照明器具１００の周囲における街路３００の水位レベルｈを検知するセンサである。センサ２００は、照明器具１００と通信可能であり、検知した水位レベルｈを照明器具１００に通知する。
【００２６】
［照明システムの構成］
以下、照明システム１０００の詳細な構成について説明する。図３は、実施の形態に係る照明システム１０００の機能構成を示すブロック図である。
【００２７】
照明システム１０００は、照明器具１００とセンサ２００とを備える。照明器具１００は、灯体１０内に設けられる、第１光源１１、第２光源１２、制御部１３、点灯回路１４、通信部１５及び駆動部１６を備える。なお、制御部１３、点灯回路１４及び通信部１５は、灯体１０内に設けられておらず、別の筐体等に設けられて、灯体１０と接続されていてもよい。
【００２８】
まず、照明器具１００の各要素について説明する。
【００２９】
灯体１０は、第１光源１１、第２光源１２、制御部１３、点灯回路１４、通信部１５及び駆動部１６を収容する筐体であり、金属及び樹脂等の材料により形成されている。灯体１０は、例えば、各構成部材を密閉できる構造となっており、風雨及び衝撃等から各構成部材を保護する。
【００３０】
第１光源１１は、照明光１１１を照射する光源である。第１光源１１は、制御部１３によって、設定されているタイムスケジュール等に従い、点灯及び消灯が制御される。第１光源１１は常時点灯していてもよい。第１光源１１が照明光１１１を照射することで、照明器具１００は一般的な街路灯として機能する。第１光源１１としては、例えば、白色光を発する、ＬＥＤ（Ｌｉｇｈｔ  Ｅｍｉｔｔｉｎｇ  Ｄｉｏｄｅ）発光モジュール、蛍光灯及び白熱灯等が挙げられる。例えば、第１光源１１がＬＥＤ発光モジュールである場合、第１光源１１は、基板上に複数のＬＥＤ素子が実装された発光モジュールであってもよく、照明光１１１を拡散させるために、光拡散性のレンズ又は透光カバーを備えていてもよい。
【００３１】
第２光源１２は、設置される場所の構造物の位置を示す表示光１１２を照射する。第２光源１２は、制御部１３によって点灯及び消灯が制御される。第２光源１２は常時点灯していてもよい。第２光源１２は、制御部１３によって表示光１１２の配光を制御されてもよい。
【００３２】
また、表示光１１２と照明光１１１とは、異なる光色であってもよい。例えば、表示光１１２の光色は、赤色、オレンジ色又は黄色であってもよい。赤色、オレンジ色又は黄色の光は、人が危険であると感じやすい色であるため、通行人４００に注意意識を喚起できる。
【００３３】
また、第２光源１２が照射する表示光１１２は、照明光１１１よりも指向性の高い光であるとよい。これにより、表示光１１２に照射された位置が明確になり、通行人４００が側溝３１０を認識しやすくなる。
【００３４】
第２光源１２としては、例えば、半導体レーザ及びガスレーザ等のレーザ光源が挙げられる。これにより、第２光源１２は、容易に指向性が高い表示光１１２を照射できる。第２光源１２は、１つのレーザ光源で構成されてもよく、同じ種類のレーザ光源が複数用いられた構成であってもよく、光色又は光量の異なるレーザ光源が複数用いられた構成であってもよい。
【００３５】
制御部１３は、点灯回路１４を介して、第１光源１１及び第２光源１２の点灯及び消灯を制御する。制御部１３は、例えば、タイムスケジュール等の時間情報に基づき、第１光源１１を点灯又は消灯させる。また、制御部１３は、センサ２００から水位レベルｈの情報を取得し、水位レベルｈの情報に基づいて、第２光源１２を点灯又は消灯させる。制御部１３は、通信部１５に気象情報を受信させ、得られた気象情報に基づき、第２光源１２を点灯又は消灯させてもよい。さらに、制御部１３は、駆動部１６を介して、センサ２００から入手した水位レベルｈの情報に基づいて、第２光源１２が照射する表示光１１２の配光を制御してもよい。
【００３６】
また、制御部１３は、通行人４００が表示光１１２に気づきやすくするために、駆動部１６に、表示光１１２が照射される位置を変化させるように第２光源１２を駆動させてもよいし、点灯回路１４への電力の供給を制御して、表示光１１２を点滅させてもよい。
【００３７】
制御部１３は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）等により構成される。制御部１３は、プログラムを記憶するメモリとマイクロプロセッサとを内蔵するマイコンであってもよく、アナログ回路及びデジタル回路を含むハードウェアであってもよい。また、制御部１３は、時計回路等を有していてもよい。
【００３８】
点灯回路１４は、第１光源１１及び第２光源１２に電力を供給することにより、第１光源１１及び第２光源１２を点灯させる回路である。点灯回路１４は、第１光源１１及び第２光源１２を調光するための、ＰＷＭ（Ｐｕｌｓｅ  Ｗｉｄｔｈ  Ｍｏｄｕｌａｔｉｏｎ）制御回路等の調光回路を含んでいてもよい。
【００３９】
通信部１５は、照明器具１００がインターネット等の広域通信ネットワーク２０を介して気象情報を受け取るための通信回路である。具体的には、通信部１５は、街路３００が属する地域における雨又は浸水に関する気象警報を受信する。通信部１５は、受け取った情報を制御部１３に送信する。雨又は浸水に関する気象警報は、例えば、大雨、洪水、波浪、高潮又は津波警報である。通信部１５によって行われる通信は、有線通信であってもよいし無線通信であってもよい。通信部１５が行う通信の通信規格は特に限定されない。通信部１５は、有線用又は無線用の通信インターフェイス等により構成される。
【００４０】
駆動部１６は、表示光１１２の配光を変えるために、第２光源１２を駆動させる。駆動部１６は、例えば、電動モータ等から構成され、電動モータにより第２光源１２を移動及び回転させることにより、第２光源１２から照射される表示光１１２の方向を変更する。
【００４１】
次に、センサ２００について説明する。
【００４２】
センサ２００は、街路３００の水位レベルｈを検知する水位センサである。センサ２００は、制御部１３と接続されており、水位レベルｈの情報を制御部１３に出力する。センサ２００としては、光波式、フロート式、電極棒を用いるアナログ式、又は、圧力検出式等、種々の水位センサを用いることができる。これらの中でも、センサ２００は、水面からの反射光によって、水位レベルを検知する光波式水位センサであるとよい。具体的に、光波式水位センサは、水面へ赤外線レーザ等の光を照射し、反射光が返ってくるまでの時間を計測し、水面までの距離を計測することで水位レベルを測定する。センサ２００が光波式水位センサであることで、センサ２００が水面と接する必要が無くなるため、センサ２００の設置する場所の選択肢が多くなり、例えば、照明器具１００が設置されている柱状部材１１０に設置することができる。また、水面３３０の上方に設置されるためセンサ２００が洪水等で流される可能性を低減できる。
【００４３】
照明システム１０００が複数の照明器具１００を備える場合、１つのセンサ２００が、複数の照明器具１００に水位レベルｈの情報を出力してもよいし、センサ２００が複数備えられ、それぞれの照明器具１００に異なるセンサ２００が水位レベルｈの情報を出力してもよい。
【００４４】
なお、図２においては、センサ２００は、制御部１３と直接接続されているが、有線通信又は無線通信により、通信部１５を介して、制御部１３に水位レベルｈの情報を送信してもよい。また、センサ２００は、照明器具１００に備えられていてもよい。
【００４５】
［動作例１］
次に、照明システム１０００の動作例１について説明する。まず、照明器具１００の第１光源１１の動作について説明する。通常、照明器具１００の制御部１３は、タイムスケジュール等に基づいて、点灯回路１４への電力の供給を制御し、第１光源１１に照明光１１１を照射させる点灯状態と照明光１１１を照射させない消灯状態とを日々繰り返す。例えば、第１光源１１は、照明器具１００が設置された周囲の街路３００が暗くなる時間帯に点灯状態となり、街路３００が明るくなる時間帯に消灯状態となる。これにより、照明器具１００は、一般的な街路灯として機能する。第１光源１１は、常時、照明光１１１を照射していてもよい。また、照明器具１００が、さらに明るさセンサを備え、制御部１３は、明るさセンサの情報に基づいて、第１光源１１の点灯と消灯とを制御してもよい。
【００４６】
次に、照明器具１００の第２光源１２の動作について、説明する。図４は、動作例１における第２光源１２の動作のフローチャートである。
【００４７】
まず、制御部１３は、センサ２００から出力される水位レベルｈの情報に基づいて、街路３００の水位レベルｈが所定以上か否かを判定する（Ｓ１１）。ステップＳ１１の判定は、水位レベルｈが所定以上と判定されるまで継続される（Ｓ１１でＮｏ）。つまり、水位レベルｈが所定以下である間は、第１光源１１のみが点灯状態と消灯状態とを日々繰り返し、照明器具１００は、通常の街路灯として機能する。
【００４８】
ステップＳ１１において水位レベルｈが所定以上であると判定されると（Ｓ１１でＹｅｓ）、制御部１３は、点灯回路１４を介して第２光源１２に電力を供給することで、第２光源１２を点灯させる。これにより、側溝３１０の位置を示す表示光１１２が照射される（Ｓ１２）。第２光源１２を点灯させるための判定に用いる水位レベルｈは、街路３００及び側溝３１０の形状等に応じて、通行人４００が側溝３１０を認識しにくくなる水位レベルｈに設定すればよい。
【００４９】
次に、制御部１３は、センサ２００から出力される水位レベルｈの情報に基づいて、街路３００の水位レベルｈが所定以下か否かを判断する（Ｓ１３）。ステップＳ１３の処理は、水位レベルｈが所定以下と判定されるまで継続される（Ｓ１３でＮｏ）。つまり、水位レベルｈが所定以上の間は、第２光源１２から表示光１１２が照射され続ける。
【００５０】
ステップＳ１３において水位レベルｈが所定以下であると判定されると（Ｓ１３でＹｅｓ）、制御部１３は、点灯回路１４を介して、電力の供給を止め、第２光源１２を消灯させる（Ｓ１４）。これにより、再び、第１光源１１のみが点灯状態と消灯状態とを日々繰り返し、照明器具１００は、一般的な街路灯として機能する。
【００５１】
以上説明したように、動作例１では、照明システム１０００において、照明器具１００は、第１光源１１に照明光１１１を照射させ、照明器具１００の周囲の視認性を高める。さらに、照明器具１００は、照明器具１００の周囲の街路３００の水位レベルを検知し、所定の水位レベル以上となった場合に、側溝３１０の位置を示す表示光１１２を第２光源１２に照射させる。これにより、豪雨又は津波等で街路３００が冠水し、側溝３１０が見えづらくなった場合でも、表示光１１２が側溝３１０の位置を示すため、通行人４００は、側溝３１０を認識しやすくなり、側溝３１０に転落して流されることを抑制できる。よって、照明器具１００は、通行人４００の安全性をさらに高めることができる。
【００５２】
また、所定の水位レベルｈ以上となっている間のみ、表示光１１２が照射されるため、側溝３１０の位置が認識しやすい平常時においては、指向性の高い光である表示光１１２が照射されず、通行人４００の目を損傷するリスクも低下させることができる。
【００５３】
［動作例２］
次に、照明システム１０００の動作例２について説明する。照明器具１００の第１光源１１の動作については、動作例１と同じである。図５は、動作例２における第２光源１２の動作のフローチャートである。
【００５４】
まず、制御部１３は、センサ２００から出力される水位レベルｈの情報に基づいて、街路３００の水位レベルｈが所定以上か否かを判定する（Ｓ２１）。ステップＳ２１の判定は、水位レベルｈが所定以上と判定されるまで継続される（Ｓ２１でＮｏ）。
【００５５】
ステップＳ２１において水位レベルｈが所定以上であると判定されると（Ｓ２１でＹｅｓ）、制御部１３は、点灯回路１４を介して第２光源１２に電力を供給することで、第２光源１２を点灯させる。これにより、側溝３１０の位置を示す表示光１１２が照射される（Ｓ２２）。
【００５６】
次に、制御部１３は、センサ２００から出力される水位レベルｈの情報に基づいて、街路３００の水位レベルｈが変化したか否かを判定する（Ｓ２３）。ステップＳ２３の判定は、水位レベルｈが変化するまで継続される（Ｓ２３でＮｏ）。
【００５７】
ステップＳ２３において、水位レベルｈが変化したと判定されると（Ｓ２３でＹｅｓ）、制御部１３は、さらに、水位レベルｈが所定の水位以下か否かを判定する（Ｓ２４）。水位レベルｈが所定以下ではない場合（Ｓ２４でＮｏ）、制御部１３は、駆動部１６に第２光源１２が照射する表示光１１２の配光を変更させる（Ｓ２５）。具体的には、制御部１３は、水位レベルが変化した場合でも、上面視での表示光１１２が照射される位置が変化しないように、表示光１１２の配光を変更させる。制御部１３は、ステップＳ２５の処理後、再びステップＳ２３の判定を行う。
【００５８】
ステップＳ２４において水位レベルｈが所定以下であると判定されると（Ｓ２４でＹｅｓ）、制御部１３は、点灯回路１４を介して、電力の供給を止め、第２光源１２を消灯させる（Ｓ２６）。これにより、再び、第１光源１１のみが照明光１１１を街路３００に照射し、照明器具１００は、通常の街路灯として機能する。
【００５９】
ステップＳ２３からステップＳ２５における表示光１１２の配光の変更では、水位レベルｈの変化量に閾値を設定し、閾値以上の変化量であると判定した場合に配光が変更されてもよい。また、表示光１１２は、水位レベルｈと配光とが連動するように連続的に制御されてもよい。
【００６０】
以上説明したように、動作例２でも、動作例１と同様に、照明器具１００は、照明器具１００の周囲の街路３００の水位レベルｈを検知し、所定の水位レベルｈ以上となった場合に、第２光源１２に、側溝３１０の位置を示す表示光１１２を照射させる。さらに、動作例２では、表示光１１２は、水位レベルｈに応じて、配光が制御され、水位レベルｈが変化しても、上面視での表示光１１２が照射される位置を同じにすることが可能となる。これにより、水位レベルｈが変化して、街路３００を上面視した場合の表示光１１２の位置が側溝３１０上方等に移動することを防止でき、通行人４００が、側溝３１０に転落する危険性をさらに下げることができる。
【００６１】
［動作例３］
次に、照明システム１０００の動作例３について説明する。照明器具１００の第１光源１１の動作については、動作例１と同じである。図６は、動作例３における第２光源１２の動作のフローチャートである。
【００６２】
制御部１３は、通信部１５に気象情報を取得させ、得られた気象情報から、街路３００が属する地域に雨又は浸水に関する気象警報が発令されているか否かを判定する（Ｓ３１）。ステップＳ３１の判定は、雨又は浸水に関する気象警報が発令されていると判定されるまで継続される（Ｓ３１でＮｏ）。つまり、街路３００が属する地域に雨又は浸水に関する気象警報が発令されていない間は、第１光源１１のみが点灯状態と消灯状態とを日々繰り返し、照明器具１００は、通常の街路灯として機能する。
【００６３】
ステップＳ３１において雨又は浸水に関する気象警報が発令されたと判定されると（Ｓ３１でＹｅｓ）、制御部１３は、点灯回路１４を介して第２光源１２に電力を供給することで、第２光源１２を点灯させる。これにより、側溝３１０の位置を示す表示光１１２が照射される（Ｓ３２）。
【００６４】
次に、制御部１３は、通信部１５に気象情報を取得させ、得られた気象情報から、発令された雨又は浸水に関する気象警報が解除されたか否かを判定する（Ｓ３３）。ステップＳ３３の処理は、発令された雨又は浸水に関する気象警報が解除されたと判定されるまで継続される（Ｓ３３でＮｏ）。つまり、雨又は浸水に関する気象警報が発令されている間は、第２光源１２から表示光１１２が照射され続ける。
【００６５】
ステップＳ３３において雨又は浸水に関する気象警報が解除されたと判定されると（Ｓ３３でＹｅｓ）、制御部１３は、点灯回路１４を介して、電力の供給を止め、第２光源１２を消灯させる（Ｓ３４）。これにより、再び、第１光源１１のみが照明光１１１を街路３００に照射し、照明器具１００は、通常の街路灯として機能する。
【００６６】
以上説明したように、動作例３では、照明器具１００は、気象情報を取得し、照明器具１００の設置された場所に雨又は浸水に関する気象警報が発令された場合に、側溝３１０の位置を示す表示光１１２を第２光源１２に照射させる。これにより、街路３００が冠水する可能性が高まる際に、表示光１１２が側溝３１０の位置を示すため、通行人４００は、街路３００が冠水した場合でも側溝３１０を認識しやすくなる。よって、通行人４００の安全性を高めることができる。
【００６７】
また、表示光１１２が照射されている間は、雨又は浸水に関する気象警報が発令していることが示されることになるため、通行人４００が雨又は浸水に関する気象警報が発令されていることを認識することができる。
【００６８】
［効果等］
以上、説明したように、照明器具１００は、灯体１０と、灯体１０内に設けられる第１光源１１及び第２光源１２と、を備える。第１光源１１は、街路３００に照明光１１１を照射し、第２光源１２は、街路３００に存在する側溝３１０の位置を示す表示光１１２を照射する。
【００６９】
これにより、照明器具１００は、第１光源１１の照明光１１１により、夜間等に通行人４００の視認性を高める。また、第２光源１２の表示光１１２により、通行人４００が側溝３１０の位置を認識しやすくなり、側溝３１０に転落する可能性を下げる。よって、照明器具１００は、通行人４００の安全性をさらに高めることができる。
【００７０】
また、例えば、第２光源１２は、街路３００の水位レベルｈが所定以上になった場合に、表示光１１２を照射してもよい。
【００７１】
これにより、豪雨又は津波等で街路３００が冠水し、側溝３１０が見えづらくなった場合でも、表示光１１２が側溝３１０の位置を示すため、通行人４００は、側溝３１０を認識しやすくなり、側溝３１０に転落して流されることを抑制できる。
【００７２】
また、例えば、第２光源１２は、街路３００が属する地域に、浸水又は雨に関する気象警報が発令された場合に、表示光１１２を照射してもよい。
【００７３】
これにより、街路３００が冠水する可能性が高まる際に、表示光１１２が側溝３１０の位置を示すため、通行人４００は、街路３００が冠水した場合でも側溝３１０を認識しやすくなる。
【００７４】
（その他の実施の形態）
以上、実施の形態について説明したが、本発明は、上記実施の形態に限定されるものではない。
【００７５】
上記実施の形態の動作例１〜動作例３において、照明器具は、制御部が水位レベル又は気象警報に基づいて、第２光源に表示光の照射を制御していたが、これに限らない。照明器具は、制御部及び通信部を備えていなくてもよく、例えば、常時、表示光を照射していてもよいし、スイッチ等によって人が表示光の照射を制御してもよい。
【００７６】
また、上記実施の形態において、構造物として側溝を例示したが、これに限らない。構造物は、例えば、マンホール、崖及び用水路等の通行人が転落する可能性のある構造物、並びに、縁石、段差、出っ張り及びポール等の通行人が躓く可能性のある構造物であってもよい。
【００７７】
また、上記実施の形態の動作例１〜動作例３において、制御部は、水位レベル及び気象警報のいずれかに基づいて、第２光源に表示光を照射させるかを判断していたが、これに限らない。制御部は、水位レベルの情報及び気象情報を入手し、水位レベルが所定以上になった場合。及び気象警報が発令した場合、のいずれの場合にも、第２光源に表示光を照射させてもよい。これにより、センサ及び通信部のいずれか一方が故障した場合にでも、表示光が照射される。
【００７８】
また、上記実施の形態の動作例１〜動作例３において、水位レベルが所定以下になった場合、又は、気象警報が解除された場合、に第２光源を消灯していたが、これに限らない。制御部は、第２光源を消灯さなくてもよく、例えば、照明器具が消灯ボタン等を備えて、消灯ボタンが押されることにより、第２光源が消灯されてもよい。
【００７９】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【００８０】
１０  灯体
１１  第１光源
１２  第２光源
１００  照明器具
１１１  照明光
１１２  表示光
２００  センサ
３００  街路
３１０  側溝
１０００  照明システム
【図１】
2020161423.tif 000003
【図２】
2020161423.tif 000004
【図３】
2020161423.tif 000005
【図４】
2020161423.tif 000006
【図５】
2020161423.tif 000007
【図６】
2020161423.tif 000008